(57)【要約】【課題】電気かみそりにおいて、簡単な構成により、外刃の安定な保持を実現し、使用時における外刃のぐらつきを防止して効率的で使い勝手の良いものとする。【解決手段】電気かみそり１は、外刃３を固定する外刃枠４と、外刃枠４を上下動自在に保持する保持枠５と、保持枠５が載置される外刃載置台６と、備え、外刃載置台６は長手方向（左右方向）の両端部に上部方向に突出する突出部６１を有し、保持枠５は、外刃載置台６に載置された際に各突出部６１の周囲を囲んで突出部６１と係合して位置決めする係合枠５１を有している。係合枠５１が外刃載置台６の長手方向の各端部における両突出部６１の周囲を囲むようにして保持枠５を外刃載置台６に係合させて位置決めするので、外刃載置台６への保持枠５の位置決めを強固にすることができ、また、位置決め精度も良く、使用時に外刃がぐらつくことなく、使い勝手良く効率的なシェービングを行うことができる。【選択図】図１
2010162187.tif 000002
【特許請求の範囲】
【請求項１】
本体部の上部に設置される外刃と、前記外刃の内側を摺動するようにモータによって駆動される内刃とを備える電気かみそりにおいて、
前記外刃を固定する外刃枠と、
前記外刃枠を上下動自在に保持する保持枠と、
前記保持枠が載置される外刃載置台と、備え、
前記外刃載置台は長手方向の各端部に上部方向に突出する突出部を有し、
前記保持枠は、前記外刃載置台に載置された際に前記各突出部の周囲を囲んで該突出部と係合して位置決めする係合枠を有することを特徴とする電気かみそり。
【請求項２】
前記保持枠は、前記外刃載置台に載置された際に前記突出部の上方から下方に向けて該突出部の周囲を囲んで該突出部と係合して位置決めする係合アームを有することを特徴とする請求項１に記載の電気かみそり。
【請求項３】
前記係合枠の剛性は前記係合アームの剛性よりも小さいことを特徴とする請求項２に記載の電気かみそり。
【請求項４】
前記係合アームは剛性を調整するための剛性調整穴を有することを特徴とする請求項２または請求項３に記載の電気かみそり。
【請求項５】
前記保持枠は前記外刃枠を上下動自在に保持してフロート嵌合するための嵌合穴を前記係合アームに有することを特徴とする請求項２乃至請求項４のいずれか一項に記載の電気かみそり。
【請求項６】
前記保持枠は該保持枠を前記本体部側に結合して固定するための結合部を前記係合アームまたは前記係合枠に有することを特徴とする請求項１乃至請求項５のいずれか一項に記載の電気かみそり。
【請求項７】
前記外刃と内刃の全体が前記本体部に対して一体的にスイング動作できるように該外刃と内刃が組み込まれてヘッドが構成され、
前記突出部の内部空洞に臨むように前記ヘッドをスイング動作させるためのリンク機構が設けられていることを特徴とする請求項１乃至請求項６のいずれか一項に記載の電気かみそり。
【発明の詳細な説明】
【技術分野】
【０００１】
本発明は、往復式電気かみそりに関する。
【背景技術】
【０００２】
従来、本体部の上部に設置される外刃と外刃の内側を摺動するように往復動モータによって駆動される内刃との組を複数備える往復式電気かみそりが知られている（例えば、特許文献１参照）。このような往復式電気かみそりにおいては、処理する対象皮膚面を刃面がなぞることができるように、通常、外刃および内刃が本体部に対して上下動自在となるように固定されている。
【先行技術文献】
【特許文献】
【０００３】
【特許文献１】特開平９−１９５７５号公報
【発明の概要】
【発明が解決しようとする課題】
【０００４】
しかしながら、上述した特許文献１に示されるような往復式電気かみそりにおいては、外刃が固定された外刃枠を上下動自在に保持する保持枠を備えているが、その保持枠を固定する方法として、保持枠の長手方向側面のみを固定するものであり、大きな外力に対して安定性が十分とはいえなく、外刃がぐらつくことがある。
【０００５】
本発明は、上記課題を解消するものであって、簡単でコンパクトな構成により、外刃を安定に保持して使用時のぐらつきを防止し、使い勝手が良く効率的にシェービングすることができる電気かみそりを提供することを目的とする。
【課題を解決するための手段】
【０００６】
上記課題を達成するために、請求項１の発明は、本体部の上部に設置される外刃と、前記外刃の内側を摺動するようにモータによって駆動される内刃とを備える電気かみそりにおいて、前記外刃を固定する外刃枠と、前記外刃枠を上下動自在に保持する保持枠と、前記保持枠が載置される外刃載置台と、備え、前記外刃載置台は長手方向の各端部に上部方向に突出する突出部を有し、前記保持枠は、前記外刃載置台に載置された際に前記各突出部の周囲を囲んで該突出部と係合して位置決めする係合枠を有するものである。
【０００７】
請求項２の発明は、請求項１に記載の電気かみそりにおいて、前記保持枠は、前記外刃載置台に載置された際に前記突出部の上方から下方に向けて該突出部の周囲を囲んで該突出部と係合して位置決めする係合アームを有するものである。
【０００８】
請求項３の発明は、請求項２に記載の電気かみそりにおいて、前記係合枠の剛性は前記係合アームの剛性よりも小さいものである。
【０００９】
請求項４の発明は、請求項２または請求項３に記載の電気かみそりにおいて、前記係合アームは剛性を調整するための剛性調整穴を有するものである。
【００１０】
請求項５の発明は、請求項２乃至請求項４のいずれか一項に記載の電気かみそりにおいて、前記保持枠は前記外刃枠を上下動自在に保持してフロート嵌合するための嵌合穴を前記係合アームに有するものである。
【００１１】
請求項６の発明は、請求項１乃至請求項５のいずれか一項に記載の電気かみそりにおいて、前記保持枠は該保持枠を前記本体部側に結合して固定するための結合部を前記係合アームまたは前記係合枠に有するものである。
【００１２】
請求項７の発明は、請求項１乃至請求項６のいずれか一項に記載の電気かみそりにおいて、前記外刃と内刃の全体が前記本体部に対して一体的にスイング動作できるように該外刃と内刃が組み込まれてヘッドが構成され、前記突出部の内部空洞に臨むように前記ヘッドをスイング動作させるためのリンク機構が設けられているものである。
【発明の効果】
【００１３】
請求項１の発明によれば、保持枠の係合枠が外刃載置台の長手方向の各端部における両突出部の周囲を囲むようにして保持枠を外刃載置台に係合させて位置決めするので、外刃載置台への保持枠の位置決めを強固にすることができ、また、位置決め精度も良く、使用時に外刃がぐらつくことなく、使い勝手良く効率的なシェービングを行うことができる。
【００１４】
請求項２の発明によれば、係合枠に加えて係合アームによって両突出部の周囲を囲むように係合させて位置決めするので、外刃載置台への保持枠の位置決めを更に強固にすることができ、シェービングを更に効率的にすることができる。また、係合枠と係合アームによって保持枠を補強できるので、保持枠の剛性を向上させることができる。
【００１５】
請求項３の発明によれば、落下衝撃などの外力を、剛性のより大きい係合アームによって吸収することができるので、剛性の小さい係合枠を外力から保護することができ、係合枠の破損を防ぐことができる。
【００１６】
請求項４の発明によれば、剛性を過大とすることなく適度の剛性のもとで係合アーム幅を大きくすることができるので、より大きな幅の係合アームによって捩れを抑制でき、ねじれによる外刃のぐらつきを防止でき、更に効率的なシェービングを行うことができる。
【００１７】
請求項５の発明によれば、係合アームに嵌合穴を設けるので、保持枠だけに嵌合穴を設ける場合に比べて保持枠を強固にでき、外刃のぐらつきを防いで更に効率的なシェービングを行うことができる。
【００１８】
請求項６の発明によれば、保持枠を外刃載置台に対して位置決めする係合枠または係合アームによって、保持枠を本体部側に固定するので、位置決めと固定とを同一部材で行うことができ、省スペース化でき、全体をコンパクトなものにすることができる。
【００１９】
請求項７の発明によれば、ヘッドをスイングさせる構造を省スペースで構成でき、全体をコンパクトにすることができる。
【図面の簡単な説明】
【００２０】
【図１】（ａ）は本発明の実施形態に係る電気かみそりの斜視図、（ｂ）は同電気かみそりの外刃、外刃枠、および保持枠を組み立てた状態の斜視図、（ｃ）は同電気かみそりの外刃載置台の斜視図。
【図２】同上電気かみそりの保持枠の斜視図。
【図３】同上電気かみそりの外刃、外刃枠、および保持枠の組立状態の斜視図。
【図４】同上電気かみそりの外刃載置台の斜視図。
【図５】同上電気かみそりの保持枠と外刃載置台との係合状態を示す斜視図。
【図６】同上電気かみそりのヘッドに組み込まれた状態の外刃の斜視図。
【図７】同上電気かみそりの使用時にヘッドから取り外した外刃一式の斜視図。
【図８】同上電気かみそりから外刃一式を取り外した状態のヘッドとその周辺の斜視図。
【図９】同上電気かみそりの内刃の例を示す斜視図。
【図１０】同上電気かみそりから外刃載置台とその上部を取り除いた状態のヘッドとその周辺の斜視図。
【図１１】同上電気かみそりのヘッドの変形例であって保持枠とその上部を取り除いた状態のヘッドとその周辺の分解斜視図。
【図１２】同上ヘッド部分の分解斜視図。
【図１３】スイング機構の分解斜視図。
【図１４】保持枠の変形例を示す斜視図。
【図１５】保持枠のさらに他の変形例を示す斜視図。
【発明を実施するための形態】
【００２１】
以下、本発明の一実施形態に係る電気かみそりについて、図面を参照して説明する。なお、図中に示した前後左右上下等の方向を参照するが、電気かみそりは、実空間における上下左右等の姿勢に関わりなく使用することができる。
【００２２】
図１乃至図１０は一実施形態に係る電気かみそりを示す。図１（ａ）に示すように、電気かみそり１は、本体部２とその上部に設けられたヘッド１０とから成り、本体部２の上部すなわちヘッド１０に設置される外刃３と、外刃３の内側を摺動するようにモータによって駆動される内刃７（図８参照）とを備えるかみそりである。本体部２には、電池や制御回路が内蔵され、表面にはスイッチＳＷ等が設けられ、本体部２を手で持って使用される。ヘッド１０は、上部表面に外刃３を有し、内部に内刃７とその駆動モータ７０（図１０参照）等を内蔵し、外刃３は外刃枠４によって固定されている。
【００２３】
図１（ｂ）（ｃ）に示すように、ヘッド１０における外刃３の保持構造として、電気かみそり１は、外刃３を固定する外刃枠４と、外刃枠４を上下動自在に保持する保持枠５と、保持枠５が載置される外刃載置台６と、備え、外刃載置台６は長手方向（左右方向）の両端部に上部方向に突出する突出部６１を有し、保持枠５は、外刃載置台６に載置された際に各突出部６１の周囲を囲んで突出部６１と係合して位置決めする係合枠５１を有している。本実施形態の電気かみそり１は、面状に互いに並列配置された４つの外刃３を有し、これに対応して、４つの内刃、４つの外刃枠４を有する。以下、これらの各部の構造と互いの組込構成について説明する。
【００２４】
図２に示すように、保持枠５は、左右方向両端における２つの端部壁５ａと、左右に延びる２つの側壁５ｂとによって枠体を構成し、端部壁５ａの外方には側壁５ｂの端部を結ぶように、帯状の係合枠５１が設けられている。また、係合アーム５２は、係合枠同様に帯状形状を有し、端部壁５ａの上部に一端を配置し、端部壁５ａから外方に向けて離れるように垂下し、係合枠５１と交差した後、さらに垂下して僅かに外方に伸びて終端するように設けられている。係合枠５１と係合アーム５２とはそれぞれ左右対称に２つずつ設けられている。これらの各構成部は互いに一体成型されている。端部壁５ａは、上下に伸びる壁であって、その内部には上下方向に形成された嵌合穴５０ａ，５０ｂが形成されている。これらの嵌合穴５０ａ、５０ｂは、外刃枠４を上下動自在とするために、その長手方向端部を左右で上下に案内する案内溝であり、４つの外刃３に対応して、端部壁５ａに４組が形成されている。そのうちの嵌合穴５０ａは、係合アーム５２の上部端を貫通して設けられている。
【００２５】
また、係合枠５１の剛性が係合アーム５２の剛性よりも小さく、つまり、係合アーム５２の剛性は係合枠５１の剛性よりも大きくされているが、係合アーム５２には、その剛性が大きすぎることがないように、剛性を調整するための剛性調整穴５２ａを有している。また、係合アーム５２の下方における脚部付近には、開口からなる結合部５２ｂが設けられている。結合部５２ｂの上方外側表面には凹部５２ｃが設けられている。
【００２６】
図３に示すように、上述の保持枠５には、それぞれ外刃枠４に固定された４つの外刃３が、外刃枠４と共に上下動自在、すなわちフロート保持されるように取り付けられる。各外刃枠４は上下方向に開口を有する左右方向に長い枠体である。外刃枠４の左右両端には、嵌合穴５０ａ，５０ｂに嵌合して上下に案内されるフロート嵌合片４１等を備えている。外刃枠４は、保持枠５の下方から保持枠５に装着され、不図示のストッパによって、上方への抜け出しが防止されている。
【００２７】
図４に示すように、外刃載置台６は、略四角の平板状の基部の左右両端部に、前後方向と上方に伸びる山状の突出部６１を有し、基部の中央部には左右に長い長孔開口６ａを前後に２つ有し、さらに、前後左右の４ヶ所に矩形頂点状に配置されたネジ用孔６ｂを有している。突出部６１の中央上部には、係合アーム５２が嵌合して位置決めされる形状に凹部６１ａが設けられている。図５は、実際の使用状態を示すものではないが、説明のため、保持枠５のみを外刃載置台６に載置した状態を示す。保持枠５の係合枠５１と係合アーム５２とが、外刃載置台６の突出部６１を取り囲んで巻きつくように配置され、保持枠５が外刃載置台６に対して位置決めされることが分かる。
【００２８】
図６は、外刃３を備えた外刃枠４を装着した保持枠５を、外刃載置台６に載置した状態を示す。破線で示すヘッド１０は、保持枠５とその上部およびこれらを覆うカバーから成るヘッド上部１１と、外刃載置台６とその下部に属する駆動部１２と、ヘッド上部１１と駆動部１２とを本体部２に対して前後左右に移動可能とするスイング機構部１３と、から構成されている。
【００２９】
図７に示すように、ヘッド上部１１は、保持枠５とその上部の外刃３、外刃枠４、およびこれらを覆うカバーである外周枠１１ａとが一体とされたものである。外周枠１１ａは、上下に開口を有する略円筒状のカバーであり、左右下部に切込を有している。前記切り込みから、保持枠５に属する係合アーム５２の下端である指当て部５２ｄが突出している。外周枠１１ａの内面側であって、前記切り込みの直上部には、突起からなる結合部（フック）１１ｂが設けられており、係合アーム５２の結合部５２ｂの開口に外方から挿入されて、外周枠１１ａが保持枠５に固定される。ヘッド上部１１から、外周枠１１ａを上方に取り外す場合には、左右の指当て部５２ｄを内側に移動させて、結合部１１ｂと結合部５２ｂとの係合を解除する。また、逆に、外周枠１１ａを上方から装着する場合には、結合部１１ｂが係合アーム５２の凹部５２ｃ（図２参照）に沿って滑らかに移動して、装着感良く、結合部５２ｂに嵌合する。
【００３０】
図８、図９、および図１０に示すように、駆動部のケース１２ａの左右上部には、外方下向きの鉤部を有する結合部（フック）１２ｂが設けられている。また、結合部１２ｂの下方には、結合部１２ｂを内側方向に移動させるための着脱ボタン１２ｃが設けられている。上述のヘッド上部１１を、図８における駆動部１２の上方から移動させて駆動部１２に被せて押すと、保持枠５の結合部５２ｂが結合部１２ｂに係合して、ヘッド上部１１が駆動部１２に固定される。ヘッド上部１１は、左右の着脱ボタン１２ｃを内方に移動させることにより、上方に取り外すことができる。つまり、保持枠５を外刃載置台６に対して位置決めするための係合アーム５２によって、保持枠５を本体部側（本体部２に近い側、通常、本体部２に固定されている側）に固定することができる。
【００３１】
駆動部１２の上部には、外刃載置台６が、ネジ用孔６ｂを通るネジと駆動部のケース１２ａにおけるネジ穴１２ｄによって固定されている。外刃載置台６の２つの長孔開口６ａからは、リニアモータ７０の内刃取付部７ａが突出している。内刃７は、内刃取付部７ａに対して適宜に着脱自在とされている。２つのリニアモータ７０は、左右方向に互いに逆方向に往復移動して内刃７を左右動させる。リニアモータ７０は、２つであるが、それぞれに２つずつ内刃取付部７ａが設けられている。
【００３２】
上述のように、本実施形態の電気かみそり１によれば、保持枠５の係合枠５１が外刃載置台６の長手方向の各端部における両突出部６１の周囲を囲むようにして保持枠５を外刃載置台６に係合させて位置決めするので、外刃載置台６への保持枠５の位置決めを強固にすることができ、また、位置決め精度も良く、使用時に外刃がぐらつくことなく、使い勝手良く効率的なシェービングを行うことができる。また、係合枠５１に加えて係合アーム５２によって両突出６１部の周囲を囲むように係合させて位置決めするので、外刃載置台６への保持枠５の位置決めを更に強固にすることができ、シェービングを更に効率的にすることができる。また、係合枠５１と係合アーム５２によって保持枠５を補強できるので、保持枠５の剛性を向上させることができる。また、落下衝撃などの外力を、剛性のより大きい係合アーム５２によって吸収することができるので、剛性の小さい係合枠５１を外力から保護することができ、係合枠５１の破損を防ぐことができる。
【００３３】
また、剛性を過大とすることなく適度の剛性のもとで係合アーム５２の幅を大きくすることができるので、より大きな幅の係合アーム５２によって捩れを抑制でき、ねじれによる外刃のぐらつきを防止でき、更に効率的なシェービングを行うことができる。また、係合アーム５２に嵌合穴５０ａを設けるので、係合アーム５２のない保持枠５だけに嵌合穴を設ける場合に比べて保持枠５を強固にでき、外刃３のぐらつきを防いで更に効率的なシェービングを行うことができる。また、保持枠５を外刃載置台６に対して位置決めするための係合アーム５２によって、保持枠５を本体部側に固定するので、位置決めと固定とを同一部材で行うことができ、省スペース化でき、全体をコンパクトなものにすることができる。
【００３４】
（本実施形態の変形例）
図１１、図１２、および図１３は本実施形態の電気かみそりにおけるヘッド１０の変形例を示す。このヘッド１０は、本体部２に対して一体的にスイング動作できるようにスイング機構部１３を内蔵し、ヘッド１０全体は本体部２に対して前後左右にスイング可能である。すなわち、本変形例の電気かみそり１において、突出部６１の内部空洞８０に臨むようにヘッド１０をスイング動作させるためのリンク機構８が設けられている。このリンク機構８は、ヘッド１０における駆動部１２および、その上部に固定されたヘッド上部１１（図６参照）を、その下部のスイング機構部１３に対して前後に揺動可能とする。
【００３５】
ケース１２ａには、リンク機構８を下方から挿入するためのスリット１２ｅが設けられており、スイング機構部１３は、上部のリンク機構８を有する前後スイング部１４に加え、下部に左右スイング部１５を有している。また、スイング機構部１３の左右スイング部１５の下部は、本体部２のヘッド載置部２１におけるヘッド載置凹部２１ａに固定される。
【００３６】
前後スイング部１４のリンク機構８が、スリット１２ｅに挿入されて、リンク機構８の支持部１４ｅが、スリット１２ｅにおける支持部１２ｆを下方から支えることにより、ケース１２ａ、従って、これに附属する外刃３等の前後スイングＳ１の動作が行われる。また、本体部に対して下部が固定された左右スイング部１５によって支持された前後スイング部１４が左右スイングＳ２の動作を行う。
【００３７】
スイング機構部１３の詳細を示す。前後スイング部１４は、舟形の前後スイング基台１４ａと、その左右端に固定されたれた左右一対のリンク機構８からなる。左右のリンク機構８は、上方に伸びた支柱１４ｂの前後両側に設けられた支点１４ｃ、支点１４ｃに回転自在に固定された腕木１４ｄ、および腕木１４ｄの下端に設けられた支持部１４ｅを備えている。支持部１４ｅは、支点１４ｃ回りで、前後方向に回動する。この支持部１４ｅによって、ケース１２ａの支持部１２ｆを下方から支持することにより、ケース１２ａが前後スイングＳ１の動作をする。また、前後スイング基台１４ａの底部には、左右スイング部１５が前後スイング基台１４ａを支持するための支点１４ｆが設けられている。
【００３８】
左右スイング部１５は、ヘッド載置凹部２１ａに固定される左右スイング基台１５ａ、基台１５ａから左右の伸びる腕を有する前後一対の支柱１５ｂ、各支柱上端における支点１５ｃ、支点１５ｃに回転自在に固定された腕木１５ｄ、および左右各一において前後の腕木１５ｄの下端を接続するコロ材１５ｅを備えている。コロ材１５ｅは、前後方向に延びており、左右一対とされている。そこで、コロ材１５ｅに、前後スイング基台１４ａの支点１４ｆを載せることにより、前後スイング基台１４ａが、本体部２に対して左右スイングＳ２の動作をする。カバー１３ａは、前後スイング基台１４ａと共に移動する。本実施形態の電気かみそり１によれば、ヘッド１０をスイングさせる構造を省スペースで構成でき、全体をコンパクトにすることができる。
【００３９】
図１４は保持枠５の変形例を示す。保持枠５は、係合アーム５２を備えずに、係合枠５１だけを備えるものとすることができる。また、この図に示す保持枠５に対して、図１５は保持枠５のさらに別の変形例を示す。保持枠５は、係合アーム５２の脚部５３のみを備えるような構成とすることもできる。これらの保持枠によれば、係合枠５１によって、外刃載置台６の左右両端の突出部６１を巻き込むようにすることができ、外刃載置台６への保持枠５の位置決めを強固にすることができ、また、位置決め精度も良く、使用時に外刃がぐらつくことなく、使い勝手良く効率的なシェービングを行うことができる。
【００４０】
なお、本発明は、上記構成に限られることなく種々の変形が可能である。例えば、上記では、外刃３が４つの場合を説明したが、４つに限らず、さらに多くても、さらに少なくても構わない。また、ヘッド１０が、前後左右にスイングするものでなくて、他の方向にスイングするものであっても、本願発明は適用できる。４つの外刃３は、例えば、前後両端の２つのネット刃、これらの間に配置された１つの仕上用ネット刃、および、１つのスリット刃などである。
【符号の説明】
【００４１】
１    電気かみそり
２    本体
３    外刃
４    外刃枠
５    保持枠
６    外刃載置台
７    内刃
８    リンク機構
１０    ヘッド
５１    係合枠
５２    係合アーム
６１    突出部
７０    リニアモータ
８０    空洞
５０ａ    嵌合穴
５２ａ    剛性調整穴
５２ｄ    結合部
【図１】
2010162187.tif 000003
【図２】
2010162187.tif 000004
【図３】
2010162187.tif 000005
【図４】
2010162187.tif 000006
【図５】
2010162187.tif 000007
【図６】
2010162187.tif 000008
【図７】
2010162187.tif 000009
【図８】
2010162187.tif 000010
【図９】
2010162187.tif 000011
【図１０】
2010162187.tif 000012
【図１１】
2010162187.tif 000013
【図１２】
2010162187.tif 000014
【図１３】
2010162187.tif 000015
【図１４】
2010162187.tif 000016
【図１５】
2010162187.tif 000017